(57)【要約】【課題】連写画像や類似画像などの大量な画像おいても画像の選定を容易にすること。【解決手段】連写画像などの複数の類似画像を選定する画像特定手段であって、類似画像を第一の方向にスクロール可能となるように一行配置し、一行配置した類似画像の上下に処理を実行するような領域を配置して表示する表示制御手段と、ユーザーの操作に応答して、類似画像を第一の方向に交差する方向に移動させる移動手段と、移動手段により、類似画像が所定の領域に移動されると、類似画像を特定の処理の実行対象として選択する選択手段を備えることを特徴とする。【選択図】図１
2020057124.tif 000002
【特許請求の範囲】
【請求項１】
複数の類似画像を選定する画像特定手段であって、
類似画像を第一の方向にスクロール可能となるように一行配置し、第一の方向に交差する方向に処理を実行するような複数の処理実行領域を配置して表示する表示制御手段と、
ユーザーの操作に応答して、類似画像を前記第一の方向に交差する方向に移動させる移動手段と、
前記移動手段により、類似画像が所定の前記処理実行領域に移動されると、類似画像を特定の処理の実行対象として選択する選択手段と、
を備えることを特徴とする情報処理装置。
【請求項２】
前記処理実行領域に移動した類似画像を前記第一の方向に配置した領域へ移動可能な請求項１に記載の常時制御手段。
【請求項３】
前記処理実行領域をユーザーによって設定可能な請求項１に記載の表示制御手段。
【発明の詳細な説明】
【技術分野】
【０００１】
本発明は表示制御方法および表示装置に関する。
【背景技術】
【０００２】
近年、デジタルカメラなどの撮像装置では、一度のレリーズ操作で複数の画像を撮影し、連写画像として生成したり、撮影条件を自動的に変更して似て非なる類似画像を複数生成するようなブラケット撮影機能を搭載したものが知られている。
【０００３】
これらの機能によって撮影された複数の画像は、似て非なるものが多く存在する。ユーザーは、このような画像を見比べながら気に入った画像の選定を行いたいという要望があった。
【０００４】
特許文献１の表示制御方法には、横位置に画像を並べ、ユーザーの操作で画像送りを実現し、加えて、縦位置に画像に関してお気に入り度合いや削除候補とすべきか選択ができる選択手段を備えた方法が提案されている。
【０００５】
特許文献２の表示制御方法には、連写で撮影した画像であるか、ブラケット撮影にて生成した画像であるかで画像の選択方法をを切り替える方法が提案されている。
【先行技術文献】
【特許文献】
【０００６】
【特許文献１】特開２０１７−３３１７７号公報
【特許文献２】特開２０１７−２２４６６号公報
【発明の概要】
【発明が解決しようとする課題】
【０００７】
しかしながら、提案されている表示制御方法では、連写画像の場合においてもユーザーが一枚ずつ画像を操作して、お気に入り度合いや削除候補とすべきかを選別を行う必要があったり、撮影モードに依存した削除処理となっている。そのため、ユーザーが似通った画像を見比べながら画像の選定を自由に行うことができないものとなっている。
【０００８】
本発明は、連写画像や類似画像などの大量な画像おいても画像の選定を容易にすることを目的としている。
【課題を解決するための手段】
【０００９】
上記の目的を達成するために、本発明に係る情報処理装置は、
複数の類似画像を選定する画像特定手段であって、
類似画像を第一の方向にスクロール可能となるように一行配置し、第一の方向に交差する方向に処理を実行するような複数の処理実行領域を配置して表示する表示制御手段と、
ユーザーの操作に応答して、類似画像を前記第一の方向に交差する方向に移動させる移動手段と、
前記移動手段により、類似画像が所定の前記処理実行領域に移動されると、類似画像を特定の処理の実行対象として選択する選択手段と、
を備えることを特徴とする。
【発明の効果】
【００１０】
本発明に係る情報処理装置によれば、連写画像や類似画像などの大量な画像において、画像の選定が容易となる。
【図面の簡単な説明】
【００１１】
【図１】情報処理装置のハードウェア構成例を示すブロック図である。
【図２】画像一覧画面の表示例を示す図である。
【図３】画像一覧表示領域２０１とサムネイル画像、およびグループ画像の関係を示す図である。
【図４】連写画像がグループに含まれた場合の表示例を示す図である。
【図５（ａ）】連写画像に関する画像選択モードへ遷移した場合の表示例を示す図である。
【図５（ｂ）】連写画像に関する画像選択モードへ遷移した場合の表示例を示す図である。
【図５（ｃ）】連写画像に関する画像選択モードへ遷移した場合の表示例を示す図である。
【図５（ｄ）】連写画像に関する画像選択モードへ遷移した場合の表示例を示す図である。
【図６】連写画像に対して画像選定を行う場合のフロー図である。
【発明を実施するための形態】
【００１２】
本発明の実施の形態について図面を用いて以下に詳細に説明する。なお、本発明は以下の実施形態に限定されるものではなく、その要旨を逸脱しない範囲において適宜変更可能である。例えば、本発明が適用される装置の構成や各種条件によって適宜修正又は変更されてもよい。
【００１３】
［一実施形態］
一実施形態による画像一覧表示システムを実現する情報処理装置及びその制御方法について図１乃至図６を用いて説明する。
【００１４】
＜情報処理装置＞
本実施形態による画像一覧表示システムを実現する情報処理装置について図１を用いて説明する。図１は、本実施形態による情報処理装置の例を示すブロック図である。なお、ここでは、本実施形態による情報処理装置１００が携帯電話機である場合を例に説明するが、本実施形態による情報処理装置１００は携帯電話機に限定されるものではなく、画像ファイルのサムネイルや画像データを表示する機能を持つ機器を広く情報処理装置として利用できる。かかる情報処理装置１００としては、例えば、デジタルカメラ、携帯型のメディアプレーヤ、タブレットデバイス、パーソナルコンピュータ、スマートフォン等が挙げられる。
【００１５】
制御部１０１は、情報処理装置１００全体の制御を司るものである。制御部１０１は、制御部１０１に入力される信号や、後述するプログラムに従って情報処理装置１００の各部を制御する。制御部１０１は、以下のような表示制御手段として機能し得る。制御部１０１は、記録媒体１０７に記録された画像ファイルに対応するサムネイルを表示部１０６に表示する表示制御手段として機能し得る。また、制御部１０１は、グループおよび画像ファイルのサムネイルが一覧表示されるように制御を行う表示制御手段として機能し得る。また、制御部１０１は、グループの表示形態の切り替えの操作がユーザーによって行われた場合に、以下のような判定手段としても機能し得る。すなわち、制御部１０１は、切り替え後の表示形態から表示パラメータを設定し、グループ内画像表示領域を変更する設定手段としても機能し得る。また、任意のグループの表示形態が変更された際に、グループ内表示領域を適したサイズおよび配置に設定して画像ファイルのサムネイルが一覧表示されるよう制御を行う表示制御手段として機能し得る。
【００１６】
なお、ここでは、１つの制御部１０１、即ち、１つのハードウェアによって情報処理装置１００全体を制御する場合を例に説明するが、情報処理装置１００全体の制御を複数のハードウェアにより分担させてもよい。
【００１７】
撮像部１０２は、レンズユニットによって結像される被写体光をアナログの電気信号に変換し、当該アナログの電気信号に対してＡ／Ｄ変換等を行うことによってデジタルの信号を生成する。撮像部１０２は、こうして得られるデジタルの信号に対してノイズ低減処理等を行うことによって画像ファイルを生成し、生成した画像ファイルを出力する。撮像部１０２から出力される画像ファイルは、バッファメモリとして機能する作業用メモリ１０４に一時的に保持される。制御部１０１は、かかる画像ファイルに対して所定の画像処理を行い、所定の画像処理が施された画像ファイルを記録媒体１０７に記録する。
【００１８】
不揮発性メモリ１０３は、電気的に消去や記録を行うことが可能な不揮発性のメモリである。不揮発性メモリ１０３には、制御部１０１によって実行される基本的なソフトウェアであるＯＳ（オペレーティングシステム）や、ＯＳと協働して応用的な機能を実現するアプリケーションプログラム等が記録されている。また、記録媒体１０７に記録された画像ファイルの一覧表示を行うためのアプリケーションプログラムが不揮発性メモリ１０３に格納されている。また、後述するサムネイル表示パラメータテーブルも不揮発性メモリ１０３に格納される。
【００１９】
作業用メモリ１０４は、上述したように、撮像部１０２から出力される画像ファイルを一時的に保持するバッファメモリとして機能し得る。また、作業用メモリ１０４は、制御部１０１の作業領域等としても用いられる。
【００２０】
操作部１０５は、情報処理装置１００に対するユーザーからの指示を受け付けるために用いられる。操作部１０５は、例えば、情報処理装置１００の電源のＯＮ／ＯＦＦを指示するための電源ボタンを含む。また、後述する表示部１０６に備えられるタッチパネルも操作部１０５に該当する。
【００２１】
本実施形態による表示装置である表示部１０６は、画像一覧表示システムにおける画像ファイルの表示や、対話的な操作のための文字表示等を行う。なお、表示部１０６は、情報処理装置１００に内蔵されていなくてもよい。情報処理装置１００の外部に配される表示部１０６に情報処理装置１００を接続する場合には、表示部１０６の表示を制御する表示制御機能（表示制御手段）を情報処理装置１００が備えていればよい。また、本実施例において表示部１０６はタッチパネルになっており、表示部材の押下操作や表示領域のスクロール操作を、操作部１０５として受けることも可能である。
【００２２】
記録媒体１０７は、画像ファイル等を記録する。かかる画像ファイルは、撮像部１０２を用いて取得される画像ファイルである場合もあるし、接続部１０８を介して通信を行い、ＥメールやＷｅｂページ、外部の情報処理装置（図示なし）等から取得できる画像ファイルである場合もある。記録媒体１０７は、情報処理装置１００から着脱可能であってもよいし、情報処理装置１００から着脱不能であってもよい。記録媒体１０７が情報処理装置２００から着脱可能な場合には、記録媒体１０７にアクセスする手段を情報処理装置２００が備えていればよい。
【００２３】
接続部１０８は、外部機器（図示なし）と通信を行う際に用いられるインターフェースである。接続部１０８は、例えばアンテナであり、無線ＬＡＮによって外部機器と通信するためのインターフェースとすることができる。情報処理装置１００は、接続部１０８を介して、外部の情報処理装置、例えば撮像装置と接続し、画像ファイルを受信することができる。なお、情報処理装置１００と外部の情報処理装置とは直接接続してもよいし、アクセスポイントを介して接続してもよい。
【００２４】
情報処理装置１００と外部機器との間のデータ通信のプロトコルとしては、上述したように、例えば、無線ＬＡＮを通じたＰＴＰ／ＩＰ等を用いることができる。かかる無線ＬＡＮの規格としては、例えばＩＥＥＥ８０２．１１が挙げられる。制御部１０１は、接続部１０８を制御することによって、外部機器との間での無線通信を実現する。なお、情報処理装置１００と外部機器の間の無線通信の方式は、無線ＬＡＮに限定されるものではない。例えば、接続部１０８は、赤外線通信モジュール、Ｂｌｕｅｔｏｏｔｈ（登録商標）通信モジュール、ＷｉｒｅｌｅｓｓＵＳＢ等の無線通信モジュールであってもよい。また、情報処理装置１００と外部機器との間の接続は、無線接続に限定されるものではなく、有線接続であってもよい。例えば、ＵＳＢケーブル、ＨＤＭＩ（登録商標）ケーブル、ＩＥＥＥ１３９４ケーブル等によって、情報処理装置１００と外部機器とを有線接続してもよい。
【００２５】
公衆網接続部１０９は、公衆無線通信を行う際に用いられるインターフェースである。情報処理装置１００は、公衆網接続部１０９を介して、他の情報処理装置、具体的には、携帯電話機等との間で音声通話等を行うことができる。制御部１０１は、マイク１１０やスピーカ１１１を介して音声信号の入力や出力を行うことによって、音声通話を実現する。公衆網接続部１０９は、例えばアンテナである。制御部１０１は、公衆網接続部１０９を介して、公衆網に接続することができる。なお、接続部１０８と公衆網接続部１０９とを１つのアンテナによって実現することも可能である。制御部１０１と公衆網接続部１０９とが相俟って、他の情報処理装置（図示せず）との間で音声通話を実現するための音声通話手段として機能し得る。
【００２６】
本実施形態による情報処理装置１００の動作について以下に説明する。以下の説明においては、処理を行う主体が情報処理装置１００であるかのように記載している場合もあるが、実際には、情報処理装置１００に備えられた制御部１０１が不揮発性メモリ１０３に格納されたプログラムを読み込み、各種処理を実現する。
【００２７】
＜システム構成と動作の概要＞
本実施形態による画像一覧表示システムは、情報処理装置１００上で実現される。画像一覧表示システムのユーザーは、情報処理装置としての携帯電話機１００上でアプリケーションを起動し、操作部１０５を操作することにより、記録媒体１０７に記録されている画像ファイルのサムネイルの一覧を表示部１０６に表示するなど、携帯電話機１００に対してさまざまな指示を行うことができる。
【００２８】
また、ユーザーは、一覧表示されるサムネイルうち任意のサムネイルを情報処理装置１００上で選択することができ、選択したサムネイルに対応した画像ファイルを、例えば接続部１０８を介してＷｅｂに接続し、ＳＮＳにアップロードすることができる。なお、このような動作は、情報処理装置１００に導入されたアプリケーションプログラム等によって実現される。
【００２９】
図２（ａ）（ｂ）は、情報処理装置１００が表示部１０６に表示する、画像一覧画面の例を示す図である。図２（ａ）において、画像一覧画面は、画像一覧表示領域２０１、ツールバー２０２から構成される。
【００３０】
画像一覧表示領域２０１上には、情報処理装置１００が保持するグループ、および、グループ内の画像ファイルのサムネイルが一覧表示される。なお、本実施形態では、画像ファイルを示すためにサムネイルを表示するものとするが、表示するデータはこれに限られない。例えば、画像ファイルの本画像データを表示するようにしてもよい。また、画像ファイルに関する情報、例えば作成日時やレーティング情報をあわせて表示するようにしてもよい。
【００３１】
ツールバー２０２は、画像に対する操作を行うための機能ボタンや、操作状態を表す表示を行う領域である。ツールバー上には例えば、画像選択モードに変更するための選択ボタン２０３が配置される。
【００３２】
画像一覧表示領域２０１上では、ユーザーのスクロール操作によって、表示するグループおよびサムネイルを切り替えて表示できる。スクロールバー２０４は、その表示位置により、現在表示されているグループおよびサムネイルの相対位置を示す。スクロールバー２０４は、スクロール操作がなされている間のみ一時的に表示するようにしてもよい。
【００３３】
図２（ａ）において、選択ボタン２０３が押下されると、画像一覧画面は画像選択モードへと切り替わる。
【００３４】
図２（ｂ）は、画像選択モードにおける画像一覧画面の表示例を示している。
【００３５】
画像選択モードでは、サムネイルが押下されると、そのサムネイルが選択状態になる。選択状態にあるサムネイルが再度押下されると、そのサムネイルの選択状態が解除される。
【００３６】
選択状態にあるサムネイルには、選択マーク２５１が表示される。ここで、選択状態にあるサムネイルを、以降では「選択サムネイル」と記載する場合がある。
【００３７】
画像選択モードでは、ツールバー２０２上には、選択サムネイル数が表示される。これは選択サムネイルの総数である。また、画像選択モード時の機能ボタンとして、例えば、共有ボタン２５２や、削除ボタン２５３が配置される。サムネイルが選択された状態で共有ボタン２５２が押下されると、サムネイルに対応した画像ファイルが記録媒体１０７から読みだされ、例えば新規Ｅメールに添付され、共有ができる。また、サムネイルが選択された状態で削除ボタン２５３が押下されると、サムネイルに対応した画像ファイルが記録媒体１０７から削除される。キャンセルボタン２５４は、押下されると、画像選択モードが解除される。
【００３８】
ここで、図３（ａ）（ｂ）を用いて、グループおよびサムネイルの全体と、画像一覧表示領域２０１との関係について説明する。
【００３９】
図３（ａ）は、情報処理装置１００の記録媒体１０７に記憶されたグループおよび画像ファイルのサムネイル全体を表示するための仮想的な表示（以降、仮想表示と記載する）を示している。図３（ａ）に示す仮想表示において、画像一覧表示領域２０１で示される部分が実際に表示部１０６上に表示される。表示外領域３０１は、画像一覧表示領域２０１には含まれない領域、すなわち、現状では表示部１０６に表示されていない部分を示している。例えば、ユーザーが操作部１０５を介して画像一覧表示領域２０１を下側にスクロール操作すると、それに伴って、画像一覧表示領域２０１が仮想表示上において下側に移動し、表示されるグループおよびサムネイルが変化する。
【００４０】
図３（ｂ）は、グループ内の表示を示す図である。グループ内の表示は、グループヘッダ３５１およびグループ内画像表示領域３５３から構成される。グループヘッダ３５１上には、グループに関する情報が表示される。
【００４１】
グループ名表示領域３５２は、そのグループを示す名称を表示する領域である。
【００４２】
本実施形態においては、画像ファイルの作成日時をグループとして扱うものとし、名称として作成日時を表示する。なお、グループは作成日時に限られない。例えば、グループとして画像ファイルの作成場所を使用してもよい。また、グループとして画像ファイルを含むフォルダ名を使用してもよいし、ユーザーにより画像ファイルに付与されるタグ情報等を使用するようにしてもよい。グループ内画像表示領域３５３は、グループに含まれる画像ファイルのサムネイルを表示する領域である。
【００４３】
次に、図４（ａ）、（ｂ）を用いて連写画像などの複数の類似画像がグループに含まれる場合の表示について説明する。
【００４４】
ここで、連写画像とは、画像のメタデータ内の撮影日時が非常に近く、かつ撮影パラメータが共通している複数枚画像（複数の類似画像）のことを指す。ここで、情報処理装置の連写画像などの複数の類似画像を選定する画像特定手段である制御部１０１は連写画像であるかを判断するが、判断するタイミングは撮像部１０２によって連続撮影が行われた後に、記録媒体１０７へ記録するタイミングで制御部１０２が判断してもよいし、画像一覧表示の際に制御部２０１が記録媒体１０７から読み出すタイミングであってもよい。
【００４５】
図４（ａ）はグループ内に連写画像が含まれる場合を示した図である。図に示すように、連写画像が含まれる場合、似通った画像が複数枚存在することを示すような重畳サムネイル４０１で示される。仮にユーザーが重畳サムネイル４０１をタップした場合、図４（ｂ）に示すように、全ての連写画像のサムネイルが一覧表示される（以後、連写画像一覧画面とする）。図３を用いてグループおよびサムネイルの全体と、画像一覧表示領域２０１との関係を説明したように、この場合おいても、ユーザーが操作部１０５を介して画像一覧表示領域２０１を下側にスクロール操作すると、それに伴って、画像一覧表示領域２０１が仮想表示上において下側に移動し、表示されるグループおよびサムネイルが変化する。
【００４６】
なお、本実施形態では、連写画像に限定して述べるが、これに限定するものではない。例えば、制御部１０１が連写画像に限定せず相互の画像のメタデータが非常に近い条件を判断し、それを類似画像の集まりとして重畳サムネイル表示としてもよい。
【００４７】
また、本実施形態では連写画像に関して重畳サムネイルで表示する例を示したが、これに限定するものではない。例えば、制御部１０１が連写画像の中から代表画像を抽出し、その画像のサムネイル上に連写画像である旨を示すアイコンを重畳させて表示するなどしても良い。
【００４８】
次に、図５（ａ）から図５（ｄ）を用い連写画像に関する画像選択モードへ遷移した場合の挙動を説明する。
【００４９】
図４（ａ）に示す画像一覧画面において選択ボタン４０２を押下すると、図５（ａ）に示すように画像一覧画面は画像選択モードへと切り替わる。
【００５０】
このとき、重畳サムネイル表示された連写画像をユーザーがタップすると、通常のサムネイルと押下したと同様に、選択マーク５０１が表示される。またツールバー５０２上には選択サムネイル数が表示される。
【００５１】
なお、本実施例では５０２に示すように、連写画像をユーザーが選択した場合、一枚としてみなしてカウントし選択数を表示しているが、これに限定するものではない。例えば、連写画像の合計枚数を選択枚数として表示してもよい。
【００５２】
また、画像選択モード時の機能ボタンとして、例えば、共有ボタン５０３や、削除ボタン５０４が配置される。サムネイルが選択された状態で共有ボタン５０３が押下されると、サムネイルに対応した画像ファイルが記録媒体１０７から読みだされ、例えば新規Ｅメールに添付され、共有ができる。また、サムネイルが選択された状態で削除ボタン５０４が押下されると、サムネイルに対応した画像ファイルが記録媒体１０７から削除される。キャンセルボタン５０５は、押下されると、画像選択モードが解除される。
【００５３】
図４（ｂ）に示す連写画像一覧画面において選択ボタン４５１を押下すると、図５（ｂ）に示すような画像選択画面へ遷移する。
【００５４】
画像選択画面では、５５１に示すように、画面中央に連写画像のサムネイルを一行に並べるように配置される（以後、これを一行スクロール表示５５１と呼ぶ）。一行スクロール表示５５１は、ユーザーのスクロール操作によって画像を切り替えることが可能である。
【００５５】
また、画像選択画面では、一行スクロールの上下に削除領域５５２、ベストショット領域５５３を配置する。一行スクロール表示５５１上に配置される各サムネイルは、一行スクロール表示５５１のスクロール方向に交差する方向へスライドすることが可能となっている。
【００５６】
図５（ｂ）に示すようにユーザーがサムネイルを削除領域方向５５４へスライドして指を離した場合は、そのサムネイルに対応する画像は削除候補となる。削除候補となった画像は、図５（ｃ）に示すように、削除領域５５２上にサムネイル画像５５６として表示される。削除候補となった画像が複数枚選択されている場合は、図５（ｃ）に示すように、選択した順に格子状に並べて表示される。、削除候補が一枚以上存在する場合は削除ボタン５５８表示する。ユーザーが削除ボタン５５８を押下した場合、ユーザーへ削除して良いかどうかを問うメッセージを表示し、ユーザーが許可した場合は削除候補画像の削除が実行される。
【００５７】
また、削除候補となったサムネイル画像が削除領域に収まる以上に選択されている場合はスクロールバー５５７が表示され、スクロールすることで全ての選択画像が閲覧可能である。
【００５８】
一方、ユーザーがサムネイルをベストショット領域方向５５５へスライドして、指を離した場合は、選択した画像はベストショット候補画像となり、それ以外の連写画像は削除候補となる。ベスショット候補となった画像は、図５（ｄ）に示すように、ベストショット領域５５３上にサムネイル画像５５９として表示される。また、同時にユーザーへ削除して良いかどうかを問うメッセージを表示し、ユーザーが許可した場合はベストショット候補画像以外の画像の削除が実行される。もし、削除領域５５２に削除候補が存在する場合に、ベストショットを選定した場合は、削除領域の画像においても削除対象となる。
【００５９】
なお、ユーザーがサムネイルをスライドした距離がある基準を満たした場合に、該当画像が削除候補となるか、もしくはベストショット対象となるかが決定される。前記基準は、サムネイル画像が各領域にすべてに含まれた場合、つまりサムネイル画像の高さの分だけ移動した場合に実行対象となってもよいし、サムネイル画像が少しでも各領域に含まれた場合に実行対象としてみなしてもよく、限定されるものではない。
【００６０】
なお、本実施例では、各領域を一行スクロール表示を画面に対して横位置かつ中央となるよう配置した例を説明したが、これに限るものではない。
【００６１】
以上が、連写画像に関する画像選択モードへ遷移した場合の挙動である。
【００６２】
図６は、本実施形態において、ユーザーが連写画像一覧画面にてサムネイル画像をスライド操作して、削除領域、もしくはベストショット領域のどちらかに移動し、画像選定を行う場合の情報処理装置１００の制御部１０１が行う処理のフロー図である。
【００６３】
情報処理装置１００の制御部１０１は、表示部１０６上に表示される、一行スクロール表示５５１上に配置される任意のサムネイル画像をタップされたことを検知すると、図６に示すフローを開始する。
【００６４】
ステップＳ６０１では、制御部１０１は、ユーザーによってタップされたサムネイル画像がスライドを開始したかどうかを判断する。制御部１０１がスライドを開始したと判断した場合は、ステップＳ６０２へ処理を進める。一方、スライドが開始されない場合は制御部は待機する。
【００６５】
ステップＳ６０２では、制御部１０１は、ユーザーがスライドした移動量の分だけ、スライド方向へサムネイル画像を移動するように、表示部１０６の描画を更新する。
【００６６】
ステップＳ６０３では、制御部１０１は、ユーザーがタップしているサムネイル画像から指を離したかどうかを判断する。制御部１０１が指を離したと判断した場合は、ステップＳ６０４へ処理を進める。一方、指を離していないと判断した場合は、ステップＳ６０２へ処理を戻す。
【００６７】
ステップＳ６０４では、制御部１０１は、ステップＳ６０３にて指を離したタイミングでの位置と、ステップＳ６０１での位置との距離を算出して、移動量を導出する。そして制御部１０１は、移動量と特定の閾値とを比較して、移動量が閾値を超えたと判断した場合は、ステップＳ６０５へ処理を進める。一方、制御部１０１が移動量が閾値よりも小さいと判断した場合は、ステップＳ６１４へ処理を進める。
【００６８】
なお、閾値は、サムネイル画像の高さでも良いし、０としても良く、限定するものではない。
【００６９】
ステップＳ６０５では、制御部１０１が、ステップＳ６０３にて指を離した位置が削除領域方向であるかを判断する。制御部１０１が削除領域方向であると判断した場合は、ステップＳ６０６へ処理を進める。一方、削除領域方向ではないと判断した場合は、ステップうＳ６１１へ処理を進める。
【００７０】
ステップＳ６０６では、制御部１０１はステップＳ６０５にてサムネイル画像が削除領域にスライドされたと判断したことから、描画を更新する。具体的には、図４（ｃ）に示したように、スライドしたサムネイル画像を削除領域５５２上にサムネイル画像５５６として表示する。一行スクロール表示においては、制御部１０１は削除領域に移動したサムネイル画像５５６と同等のサムネイル画像５５１を削除し、左詰めとなるように描画を更新する。また、制御部１０１は削除ボタン５５５を表示する。
【００７１】
ステップＳ６０７では、制御部１０１は削除ボタン５５５をユーザーによって押下されたかどうかを判断する。制御部１０１が削除ボタン５５５を押下されたと判断した場合は、ステップＳ６０８へ処理を進める。一方、制御部１０１が削除ボタン５５５を押下されていないと判断した場合は、待機する。
【００７２】
ステップＳ６０８では、制御部１０１は表示部１０６にユーザーへ削除を実行して良いかどうかのメッセージを表示する。
【００７３】
ステップＳ６０９では、制御部１０１は削除の実行を許可されたかどうかを判断する。制御部１０１が許可されたと判断した場合はステップＳ６１０へ処理を進める。一方、許可されていないと判断した場合は、ステップＳ６１２へ処理を進める。
【００７４】
ステップＳ６１０では、制御部１０１は削除処理を実行する。このとき制御部１０１はステップＳ６０８で表示したメッセージを非表示にする。
【００７５】
ステップＳ６１１では、制御部１０１は削除領域５５２上に配置されていた、サムネイル画像５５６を全て非表示にする。また、制御部１０１は、削除ボタン５５５を非表示にする。
【００７６】
ステップＳ６１２では、制御部１０１は、ステップＳ６０８で表示していたメッセージを非表示にする。
【００７７】
ステップＳ６１３では、制御部１０１は削除領域方向ではなく、ベストショット領域方向へ移動されたと判断し、描画を更新する。スライドしたサムネイル画像をベストショット領域５５３上にサムネイル５５９として表示する。また、一行スクロール表示上に表示されるベストショット領域５５３に移動したサムネイル画像５５６と同等のサムネイル画像５５１を削除し、左詰めとなるように描画を更新する。
【００７８】
ステップＳ６１４では、制御部１０１は表示部１０６にユーザーへ選択した画像以外（つまり、一行スクロール表示に表示されている画像）の削除を実行して良いかどうかのメッセージを表示する。
【００７９】
ステップＳ６１５では、制御部１０１は削除の実行を許可されたかどうかを判断する。制御部１０１が許可されたと判断した場合はステップＳ６１６へ処理を進める。一方、許可されていないと判断した場合は、ステップＳ６１８へ処理を進める。
【００８０】
ステップＳ６１６では、制御部１０１は選択画像以外の削除処理を実行する。このとき制御部１０１はステップＳ６１４で表示したメッセージを非表示にする。
【００８１】
連写画像が１枚のみに選定できたことから、ステップＳ６１７では、制御部１０１は画像一覧画面へ遷移する。このとき、従来画像一覧画面にて連写画像４０１として表示されていた、連写画像は１枚のみとなったため、通常の画像表示４０４と同等の表示となる。
【００８２】
ステップＳ６１８では、制御部１０１は、ステップＳ６１４で表示していたメッセージを非表示にする。
【００８３】
ステップＳ６１９では、制御部１０１は、ステップＳ６０１時点の位置へサムネイル画像の描画を更新する。
【００８４】
以上が、本実施形態における、ユーザーが連写画像一覧画面においてサムネイル画像をスライド操作して、削除領域、もしくはベストショット領域５５３に移動し、画像選定行う場合の情報処理装置１００の制御部１０１が行う処理である。
【００８５】
以上、本発明の好ましい実施形態について説明したが、本発明はこれらの実施形態に限定されるものではなく、その要旨の範囲内で種々の変形及び変更が可能である。
【００８６】
例えば、上記実施形態では一行スクロール領域を中央にして２つの領域に分けて実行領域として設けたが、これに限るものではない。例えば、各実行領域をさらに分割して４つの異なる実行領域を設けてもよい。
【００８７】
また、上記実施形態では一行スクロール領域を中央にして上下２つの領域に分けて実行領域として設けたが、これに限るものではない。例えば、一列スクロール領域を画面中央に配置し、左右に実行領域を設けてもよい。
【００８８】
また、上記実施形態では、一行スクロール領域の上部に削除領域、下部にベストショット領域を設けたが、これに限るものではない。例えば、ユーザーによって実行したい処理を切り替えられるように領域の処理内容を変更できるようにしてもよい。
【００８９】
また、上記実施形態では、一行スクロール領域から削除領域へ削除候補として画像を移動していたが、再び削除領域から一行スクロール領域へ画像を移動し、削除候補から戻すようにしてもよい。
【００９０】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９１】
１００  情報処理装置、１０１  制御部、１０３  表示部、１０７  記録媒体
【図１】
2020057124.tif 000003
【図２】
2020057124.tif 000004
【図３】
2020057124.tif 000005
【図４】
2020057124.tif 000006
【図５（ａ）】
2020057124.tif 000007
【図５（ｂ）】
2020057124.tif 000008
【図５（ｃ）】
2020057124.tif 000009
【図５（ｄ）】
2020057124.tif 000010
【図６】
2020057124.tif 000011